(57)【特許請求の範囲】
【請求項１】
モビリティ管理エンティティ（ＭＭＥ）が、位置登録エリア更新（ＴＡＵ）プロシージャにおいて、一時的に保持されたダウンリンク・データをサービングゲートウェイ（ＳＧＷ）から端末（ＵＥ）に送信すべきことを、確定するステップと、
前記ＭＭＥが、前記ＵＥの無線インターフェースユーザー・プレーンベアラの確立プロシージャを開始するステップと、
を備え、
前記モビリティ管理エンティティ（ＭＭＥ）が、一時的に保持されたダウンリンク・データをサービングゲートウェイ（ＳＧＷ）から端末（ＵＥ）に送信すべきことを、確定することは、
前記ＭＭＥが、ローカルで動作するタイマーが時間切れになっていないことを確定し、前記タイマーは、前記ＭＭＥが前記ＵＥの到達不能な状態になることを確定して、前記ＵＥのダウンリンク・データを一時的に保持するように前記ＳＧＷに指示する場合、起動され、前記タイマーのセット時間は、前記ＭＭＥが前記ＳＧＷに指示した、前記ＵＥのダウンリンク・データを一時的に保持する時間の長さであり、
または、
前記ＭＭＥが、再設定した新しいＭＭＥのコンテキストリクエストメッセージの受信時間が、記録したタイムスタンプより早いことを確定し、前記タイムスタンプは、前記ＭＭＥが前記ＵＥの到達不能な状態になることを確定して前記ＳＧＷに指示した、前記ＵＥのダウンリンク・データを一時的に保持する時間の長さに基づいて確定されるか、または前記タイムスタンプは、前記ＭＭＥが前記ＵＥの到達不能な状態になることを確定して指示した、前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和であり、
または、
前記ＭＭＥが、前記ＳＧＷのベアラ関連のメッセージの受信時間が、記録したタイムスタンプより早いことを確定し、前記タイムスタンプは、前記ＭＭＥが前記ＵＥの到達不能な状態になることを確定して前記ＳＧＷに指示した、前記ＵＥのダウンリンク・データを一時的に保持する時間の長さに基づいて確定されるか、または前記タイムスタンプは、前記ＭＭＥが前記ＵＥの到達不能な状態になることを確定して指示した、前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和であることを特徴とするユーザー・プレーンベアラの確立を制御する方法。
【請求項２】
前記ＴＡＵプロシージャにおいて、ＭＭＥが変更される場合、前記方法は、
前記ＭＭＥが、ローカルで動作するタイマーが時間切れになっていないことを確定した場合、一時的に保持されたダウンリンク・データを前記ＳＧＷから前記ＵＥに送信すべき旨の指示を、変更された新しいＭＭＥに送信し、前記新しいＭＭＥにより、前記ＵＥの無線インターフェースユーザー・プレーンベアラの確立プロシージャを開始するステップ、
または
前記ＭＭＥが、格納したタイムスタンプが期限切れになっていないことを確定した場合、一時的に保持されたダウンリンク・データを前記ＳＧＷから前記ＵＥに送信すべき旨の指示を、変更された新しいＭＭＥに送信し、前記新しいＭＭＥにより、前記ＵＥの無線インターフェースユーザー・プレーンベアラの確立プロシージャを開始するステップ、
を含む請求項１に記載のユーザー・プレーンベアラの確立を制御する方法。
【請求項３】
前記ＭＭＥが前記ＴＡＵプロシージャにおける新しいＭＭＥであれば、
前記ＭＭＥは、前記ＴＡＵプロシージャにおけるオリジナルＭＭＥがローカルで動作するタイマーが時間切れになっていないことを確定して送信した、一時的に保持されたダウンリンク・データを前記ＳＧＷから前記ＵＥに送信すべき旨の指示を受信するステップ、
または、
前記ＭＭＥは、前記ＴＡＵプロシージャにおけるオリジナルＭＭＥがＳＧＷに一時的に保持したデータの伝送必要さを確定して送信した、一時的に保持されたダウンリンク・データを前記ＳＧＷから前記ＵＥに送信すべき旨の指示を受信するステップ、
を含む請求項１に記載のユーザー・プレーンベアラの確立を制御する方法。
【請求項４】
一時的に保持されたダウンリンク・データを前記ＳＧＷから前記ＵＥに送信すべき旨の指示は、前記ＳＧＷのベアラ修正応答メッセージに積載される請求項１に記載のユーザー・プレーンベアラの確立を制御する方法。
【請求項５】
サービングゲートウェイ（ＳＧＷ）が、端末（ＵＥ）のダウンリンク・データを一時的に保持していることを確定するステップと、
前記ＳＧＷが、モビリティ管理エンティティ（ＭＭＥ）に、一時的に保持されたダウンリンク・データを前記ＵＥに送信すべき旨の指示を、送信するステップと、
を備え、
前記サービングゲートウェイ（ＳＧＷ）が、端末（ＵＥ）のダウンリンク・データを一時的に保持していることを確定することは、
前記ＳＧＷが、ローカルで動作するタイマーが時間切れになっていないことを確定し、前記タイマーの動作時間は、前記ＭＭＥが前記ＵＥの到達不能な状態になることを確定する場合に送信され、また、前記タイマーは、前記ＵＥのためにダウンリンク・データを一時的に保持する旨の指示を受信する場合に起動されることを含むユーザー・プレーンベアラの確立を制御する方法。
【請求項６】
前記一時的に保持されたダウンリンク・データを前記ＵＥに送信すべき旨の指示は、前記ＭＭＥに送信したベアラ修正応答メッセージに積載されている請求項５に記載のユーザー・プレーンベアラの確立を制御する方法。
【請求項７】
位置登録エリア更新（ＴＡＵ）プロシージャにおいて、一時的に保持されたダウンリンク・データをサービングゲートウェイ（ＳＧＷ）から端末（ＵＥ）に送信すべきことを確定する確定モジュールと、
前記ＵＥの無線インターフェースユーザー・プレーンベアラの確立プロシージャを開始する開始モジュールと、
を備え
前記確定モジュールは、
ローカルで動作するタイマーが時間切れになっていないことを確定し、前記タイマーは、前記ＭＭＥが前記ＵＥの到達不能な状態になることを確定して、前記ＵＥのダウンリンク・データを一時的に保持するように前記ＳＧＷに指示する場合、起動され、前記タイマーのセット時間は、前記ＭＭＥが前記ＳＧＷに指示した、前記ＵＥのダウンリンク・データを一時的に保持する時間の長さであり、
または、
再設定した新しいＭＭＥのコンテキストリクエストメッセージの受信時間が、記録したタイムスタンプより早いことを確定し、前記タイムスタンプは、前記ＭＭＥが前記ＵＥの到達不能な状態になることを確定して前記ＳＧＷに指示した、前記ＵＥのダウンリンク・データを一時的に保持する時間の長さに基づいて確定されるか、または前記タイムスタンプは、前記ＭＭＥが前記ＵＥの到達不能な状態になることを確定して指示した、前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和であり、
または、
前記ＳＧＷのベアラ関連のメッセージの受信時間が記録したタイムスタンプより早いことを確定し、前記タイムスタンプは、前記ＭＭＥが前記ＵＥの到達不能な状態になることを確定して前記ＳＧＷに指示した、前記ＵＥのダウンリンク・データを一時的に保持する時間の長さに基づいて確定されるか、または前記タイムスタンプは、前記ＭＭＥが前記ＵＥの到達不能な状態になることを確定して指示した、前記ＵＥのダウンリンク・データを前記ＳＧＷに一時的に保持する時間と、前記ＭＭＥが前記ＳＧＷに指示した、前記ＵＥのダウンリンク・データを一時的に保持する時間の長さの和であることを特徴とするモビリティ管理エンティティ（ＭＭＥ）。
【請求項８】
前記ＴＡＵプロシージャにおいて、ＭＭＥが変更され、且つ、ローカルで動作するタイマーが時間切れになっていないことを確定した場合、一時的に保持されたダウンリンク・データを前記ＳＧＷから前記ＵＥに送信すべき旨の指示を、変更された新しいＭＭＥに送信し、前記新しいＭＭＥにより、前記ＵＥの無線インターフェースユーザー・プレーンベアラの確立プロシージャを開始し、
または、
前記ＴＡＵプロシージャにおいて、ＭＭＥが変更され、且つ、格納したタイムスタンプの期限切れになっていないことを確定した場合、一時的に保持されたダウンリンク・データを前記ＳＧＷから前記ＵＥに送信すべき旨の指示を、変更された新しいＭＭＥに送信し、前記新しいＭＭＥにより、前記ＵＥの無線インターフェースユーザー・プレーンベアラの確立プロシージャを開始する、
送信モジュールをさらに備える請求項７に記載のモビリティ管理エンティティ（ＭＭＥ）。
【請求項９】
前記ＭＭＥが前記ＴＡＵプロシージャにおける新しいＭＭＥである場合、前記ＴＡＵプロシージャにおけるオリジナルＭＭＥがローカルで動作するタイマーが時間切れになっていないことを確定して送信した、一時的に保持されたダウンリンク・データを前記ＳＧＷから前記ＵＥに送信すべき旨の指示を受信し、
または、
前記ＭＭＥが前記ＴＡＵプロシージャにおける新しいＭＭＥである場合、前記ＴＡＵプロシージャにおけるオリジナルＭＭＥが一時的に保持データをＳＧＷから送信すべきことを確定して送信した、一時的に保持されたダウンリンク・データを前記ＳＧＷから前記ＵＥに送信すべき旨の指示を受信する、
受信モジュールをさらに備え、
一時的に保持されたダウンリンク・データを前記ＳＧＷから前記ＵＥに送信すべき旨の指示は、前記ＳＧＷのベアラ修正応答メッセージに積載される請求項７に記載のモビリティ管理エンティティ（ＭＭＥ）。
【請求項１０】
端末（ＵＥ）のダウンリンク・データが一時的に保持されていることを確定する確定モジュールと、
一時的に保持されたダウンリンク・データを前記ＵＥに送信すべき旨の指示をモビリティ管理エンティティ（ＭＭＥ）に送信する送信モジュールと、
を備え、
前記確定モジュールは、
ローカルで動作するタイマーが時間切れになっていないことを確定し、前記タイマーの動作時間は、前記ＭＭＥが前記ＵＥの到達不能な状態になると確定する場合に送信され、また、前記タイマーは、前記ＵＥのためにダウンリンク・データを一時的に保持する旨の指示を受信する場合に起動されることを含むサービングゲートウェイ（ＳＧＷ）。
【請求項１１】
前記一時的に保持されたダウンリンク・データを前記ＵＥに送信すべき旨の指示は、前記ＭＭＥに送信したベアラ修正応答メッセージに積載されている請求項１０に記載のサービングゲートウェイ（ＳＧＷ）。
【発明の詳細な説明】
【技術分野】
【０００１】
本発明は通信技術分野に関し、特にユーザー・プレーンベアラの確立を制御する方法及び装置に関する。
【背景技術】
【０００２】
マシン通信において、端末はパワー・セーブモード（Ｐｏｗｅｒ Ｓａｖｉｎｇ Ｍｏｄｅ，ＰＳＭ）またはｅＤＲＸ（ｅｘｔｅｎｄｅｄ Ｄｉｓｃｏｎｔｉｎｕｏｕｓ Ｒｅｃｅｐｔｉｏｎ）などの手段でパワー・セーブの目的を達成する。ここでのｅＤＲＸとは、アイドル状態の周期が最大１０秒であるＤＲＸを指す。端末がパワーセーブモードまだはｅＤＲＸを利用する場合、ダウンリンクページング・メッセージを適時に応答できず、サービスデータの伝送にある程度の遅延が生じてしまう。
【０００３】
３ＧＰＰ ＳＡ２ワーキングチームの「高遅延通信」プロジェクトは、端末がダウンリンクページング・メッセージを適時に応答できない場合の、ネットワークから端末にユーザー・プレーンのデータを伝送する方法を研究するものである。現在、ＴＲ２３.７０９により複数の解決案が提出されており、そのうちの案２によれば、主にＳＧＷ（Ｓｅｒｖｉｎｇ Ｇａｔｅｗａｙ）にダウンリンク・データを一時的に保持させ、端末とネットワーク間の通信の場合、ＳＧＷは、基地局の中継により一時的に保持されたデータを端末に伝送する。
【０００４】
図１に示すように、ＴＲ２３.７０９における案２は、以下通りである。
【０００５】
Ｓ１０１：ＳＧＷは、パケット・データゲートウェイ（ＰＧＷ）のダウンリンク・データを受信する。当該ダウンリンク・データは特定端末（ＵＥ）に伝送すべきものである。
【０００６】
Ｓ１０２：ＳＧＷは、ダウンリンク・データ通知（Ｄｏｗｎｌｉｎｋ Ｄａｔａ Ｎｏｔｉｆｉｃａｔｉｏｎ，ＤＤＮ）メッセージをモビリティ管理エンティティ（Ｍｏｂｉｌｉｔｙ Ｍａｎａｇｅｍｅｎｔ Ｅｎｔｉｔｙ，ＭＭＥ）またはＳＧＳＮ（Ｓｅｒｖｉｎｇ ＧＰＲＳ Ｓｕｐｐｏｒｔ Ｎｏｄｅ、ＧＰＲＳ:Ｇｅｎｅｒａｌ Ｐａｃｋｅｔ Ｒａｄｉｏ Ｓｙｓｔｅｍ）に送信する。
【０００７】
Ｓ１０３：ＭＭＥまたはＳＧＳＮは、ＵＥがＰＳＭまたはｅＤＲＸなどの暫く到達不可能状態にあることを検出する場合、ＳＧＷにＤＤＮ応答（ＤＤＮ ＡＣＫ）メッセージをフィードバックする。当該ＤＤＮ ＡＣＫメッセージには、ＵＥのダウンリンク・データを一時的に保持するリクエスト及びＧＷに一時的に保持できる時間の長さＴが記載されている。
【０００８】
Ｓ１０４：ＳＧＷは、ＭＭＥまたはＳＧＳＮの指示に従って、当該ＵＥのためにダウンリンク・データを一時的に保持し、且つ、時間の長さがＴであるタイマーＳを起動する。即ち、時間の長さＴの間、ＵＥのダウンリンク・データを一時的に保持する。
【０００９】
Ｓ１０５：ＭＭＥまたはＳＧＳＮは、ＵＥと通信する基地局（ｅＮＢ）（または無線ネットワークコントローラ（ＲＮＣ）、基地局コントローラ（ＢＳＣ））と、セッションコネクションを確立し、ＵＥは、一定の遅延後に、ｅＮＢ（またはＲＮＣ、ＢＳＣ）とセッションコネクションを確立し、ＵＥはＳＧＷにサービス・リクエスト（Ｓｅｒｖｉｃｅ Ｒｅｑｕｅｓｔ）プロシージャを開始する。
【００１０】
Ｓ１０６：ＵＥは、ＭＭＥまたはＳＧＳＮに、位置登録エリア更新（Ｔｒａｃｋｉｎｇ Ａｒｅａ Ｕｐｄａｔｅ，ＴＡＵ）またはルーティングエリア更新（Ｒｏｕｔｉｎｇ Ａｒｅａ Ｕｐｄａｔｅ, ＲＡＵ）リクエストを送信し、ＴＡＵまたはＲＡＵプロシージャ中に、ＵＥとＳＧＷの間に、Ｅ-ＲＡＢ（ｅｖｏｌｖｅｄ Ｒａｄｉｏ Ａｃｃｅｓｓ Ｂｅａｒｅｒ）またはＲＡＢ（Ｒａｄｉｏ Ａｃｃｅｓｓ Ｂｅａｒｅｒ）が確立される。
【００１１】
Ｓ１０７：ＳＧＷは、タイマーＳが時間切れになる前、一時的に保持された当該ＵＥのダウンリンク・データを当該ＵＥに伝送し、ＳＧＷは、タイマーＳが時間切れになると検出すれば、一時的に保持された当該ＵＥのダウンリンク・データを削除する。
【００１２】
Ｓ１０８：ＵＥとＳＧＷの間で、双方向データ通信を行う。
【００１３】
ここで、ＭＭＥまたはＳＧＳＮは、ＵＥに対しページングプロシージャを開始し、ＵＥは、ダウンリンクページング・メッセージを受信した後、サービス・リクエスト・プロシージャを開始させ、サービス・リクエスト・プロシージャ中に、ネットワーク側とユーザー・プレーンベアラを確立する。当該ユーザー・プレーンベアラは、ＵＥと基地局の間、基地局とＳＧＷの間との２部分を含む。ユーザー・プレーンベアラが確立され次第に、ＵＥとネットワークの間のデータ伝送が実施できるようになる。ＵＥがＰＳＭまたはｅＤＲＸモードを利用するため、当該ＵＥがアイドル状態になると、ダウンリンクページング・メッセージを適時に応答できなくなる。
【００１４】
ＭＭＥは、ＵＥがＰＳＭまたはｅＤＲＸに入ったと検出すれば、当該ＵＥのためにダウンリンク・データを一時的に保持するようにＳＧＷに指示し、ＳＧＷに一時的に保持される時間の長さＴも指示する。ＳＧＷは、ＭＭＥの指示に従って当該ＵＥのための、データを一時的に保持し、且つ、時間の長さがＴであるタイマーＳを起動する。
【００１５】
タイマーＳが時間切れになる前に、ＵＥがネットワークのページングを応答するか、または、ＵＥが送信すべきデータのため自らサービス・リクエスト・プロシージャを開始するか、または、ＵＥのＴＡＵプロシージャを確保できれば、ＳＧＷは、一時的に保持されたデータを当該ＵＥに送信する。当該ＴＡＵプロシージャは、周期的なものであってもよいし、新しい位置登録エリア（ＴＡ）に移して開始されたものであってもよい。
【００１６】
ここで、ＵＥがｅＤＲＸを利用すれば、Ｔの値は、ｅＤＲＸの周期より小さくない。ＵＥがＰＳＭを利用すれば、Ｔの値は、次の周期的な更新プロシージャの開示までの残り時間より小さくない。
【００１７】
ＭＭＥがＳＧＷに、ＳＧＷに一時的に保持する必要があるＵＥのダウンリンク・データを通知すると、ＭＭＥは、ＴＡＵプロシージャにおいて、当該通知を新しいＭＭＥに伝送する。ＵＥとネットワークのＴＡＵインタラクション・プロシージャにおいて、ＭＭＥは、当該ＵＥのための、無線インターフェースユーザー・プレーンベアラを確立し、位置登録応答（ＴＡＵ Ａｃｃｅｐｔ）メッセージを伝送する。
【００１８】
ＴＳ２３.４０１のＴＡＵプロシージャにおいて、ＵＥがユーザー・プレーン・データを伝送する必要があれば、ＴＡＵリクエストメッセージにアクティブフラグ（Ａｃｔｉｖｅ Ｆｌａｇ）を設定する必要がある。ＴＡＵリクエストメッセージにアクティブフラグが設定されれば、ユーザー・プレーンの確立プロシージャは活性化されるともに、位置登録応答メッセージは送信され、これについてはＴＳ３６.３００を参照されたい。具体的には、図２に示すように、ＴＡＵプロシージャにおいて、更新前のＭＭＥまたはＳＧＳＮは、オリジナルＭＭＥまたはオリジナルＳＧＳＮと称され、更新後の新しいＭＭＥに送信したコンテキスト応答メッセージにはダウンリンク・データ・フォワーディング・リクエスト（Ｄｏｗｎｌｉｎｋ ｄａｔａ ｆｏｒｗａｒｄｉｎｇ ｒｅｑｕｉｒｅｄ）が積載されており、当該リクエストはダウンリンク・データのフォワーディングが必要であることを示す。更新後の新しいＳＧＷから新しいＭＭＥに送信したセッション確立の応答メッセージには、ダウンリンク・データ・フォワーディングのために割り当てたＩＰアドレス及びＧＴＰ−Ｕ（Ｕｓｅｒ ｐｌａｎｅ ｐａｒｔ ｏｆ ＧＰＲＳ Ｔｕｎｎｅｌｉｎｇ Ｐｒｏｔｏｃｏｌ）のＴＥＩＤ（Ｔｕｎｎｅｌｉｎｇ Ｅｎｄｐｏｉｎｔ Ｉｄｅｎｔｉｆｉｅｒ）が積載されており、当該ＩＰアドレス及びＴＥＩＤは後続ＴＡＵインタラクション・プロシージャにより更新前のオリジナルＳＧＷに伝送される。オリジナルＳＧＷは当該ＩＰアドレス及びＴＥＩＤにより一時的に保持されたダウンリンク・データを更新後の新しいＳＧＷにフォワーディングし、全てのデータ伝送が終了した後、終了識別子が積載されているデータパケットを新しいＳＧＷに送信する。当該終了識別子は、フォワーディングが必要となるダウンリンク・データ伝送が既に完成されたことを示す。
【００１９】
ＴＡＵプロシージャには、ＵＥにアクティブフラグを設定する必要があり、ネットワーク側が当該アクティブフラグによりＴＡＵプロシージャにおいて、当該ＵＥのために、無線インターフェースユーザー・プレーンベアラを確立することのみを明確にしたが、当該ＵＥのために無線インターフェースユーザー・プレーンベアラを確立することと、位置登録応答（ＴＡＵ Ａｃｃｅｐｔ）メッセージの伝送が、ともに施行できることも説明されている。
【００２０】
ＴＳ２３.７０９において、予測不可能なネットワーク環境が原因で、タイマーＳが時間切れになる前にＵＥがネットワーク側と必ず連絡することが確保できず、タイマーＳが時間切れになった後、ＳＧＷは一時的に保持されたＵＥのダウンリンク・データを既に削除し、当該ＵＥがＴＡＵプロシージャを開始し、且つ当該ＵＥはネットワーク側にデータを伝送する必要がない場合、ＭＭＥがＵＥと基地局間の無線インターフェースユーザー・プレーンの確立プロシージャを開始し、且つＳＧＷには伝送するダウンリンク・データがなければ、不必要なシグナリングオーバーヘッドを引き起こしてしまう。
【発明の概要】
【発明が解決しようとする課題】
【００２１】
本発明に係る実施例はユーザー・プレーンベアラの確立を制御する方法及び装置を提供し、ＳＧＷがタイマーの時間切れの場合、一時的に保持されたＵＥのダウンリンク・データを削除した後、ＵＥによりＴＡＵプロシージャが開始されたのに、ＭＭＥがＵＥと基地局の間のユーザー・プレーンの確立プロシージャを依然として開始することにより、必要なシグナリングオーバーヘッドを引き起こす問題点を解決した。
【課題を解決するための手段】
【００２２】
本発明に係る実施例が提供する技術的解決手段は以下のとおりである。
【００２３】
第１態様として、ユーザー・プレーンベアラの確立を制御する方法は、
モビリティ管理エンティティ（ＭＭＥ）が、位置登録エリア更新（ＴＡＵ）プロシージャにおいて、一時的に保持されたダウンリンク・データをＳＧＷから端末（ＵＥ）に送信すべきことを、確定するステップと、
前記ＭＭＥが、前記ＵＥの無線インターフェースユーザー・プレーンベアラの確立プロシージャを開始するステップと、を備える。
【００２４】
ここで、前記ＭＭＥが、一時的に保持されたダウンリンク・データをＳＧＷから端末（ＵＥ）に送信すべきことを、確定することは、
前記ＭＭＥが、一時的に保持されたダウンリンク・データを前記ＳＧＷから前記ＵＥに送信すべき旨の指示を取得し、前記指示により、一時的に保持されたダウンリンク・データを前記ＳＧＷから前記ＵＥに送信すべきことを確定すること、
または、
前記ＭＭＥが、ローカルで動作するタイマーが時間切れになっていないことを確定し、前記タイマーは、前記ＭＭＥが前記ＵＥの到達不能な状態になることを確定して、前記ＵＥのダウンリンク・データを一時的に保持するように前記ＳＧＷに指示する場合、起動され、前記タイマーのセット時間は、前記ＭＭＥが前記ＳＧＷに指示した、前記ＵＥのダウンリンク・データを一時的に保持する時間の長さであること、
または、
前記ＭＭＥが、再設定した新しいＭＭＥのコンテキストリクエストメッセージの受信時間が記録したタイムスタンプより早いことを確定し、前記タイムスタンプは、前記ＭＭＥが前記ＵＥの到達不能な状態になることを確定して前記ＳＧＷに指示した前記ＵＥのダウンリンク・データを一時的に保持する時間の長さに基づいて確定されるか、または前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和であること、
または、
前記ＭＭＥが、前記ＳＧＷのベアラ関連のメッセージの受信時間が記録したタイムスタンプより早いことを確定し、前記タイムスタンプは、前記ＭＭＥが前記ＵＥの到達不能な状態になることを確定して前記ＳＧＷに指示した前記ＵＥのダウンリンク・データを一時的に保持する時間の長さに基づいて確定されるか、または前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和であること、
を含む。
【００２５】
ここで、前記ＴＡＵプロシージャにおいて、ＭＭＥが変更される場合、前記方法は、
前記ＭＭＥが、ローカルで動作するタイマーが時間切れになっていないことを確定した場合、一時的に保持されたダウンリンク・データを前記ＳＧＷから前記ＵＥに送信すべき旨の指示を、変更された新しいＭＭＥに送信し、前記新しいＭＭＥにより前記ＵＥの無線インターフェースユーザー・プレーンベアラの確立プロシージャを開始するステップ、
または、
前記ＭＭＥが、格納したタイムスタンプが期限切れになっていないことを確定した場合、一時的に保持されたダウンリンク・データを前記ＳＧＷから前記ＵＥに送信すべき旨の指示を、変更された新しいＭＭＥに送信し、前記新しいＭＭＥにより前記ＵＥの無線インターフェースユーザー・プレーンベアラの確立プロシージャを開始するステップ、
をさらに備える。
【００２６】
ここで、前記ＭＭＥが前記ＴＡＵプロシージャにおける新しいＭＭＥであれば、前記ＭＭＥが、一時的に保持されたダウンリンク・データをＳＧＷから前記ＵＥに送信すべき旨の指示を取得することは、
前記ＭＭＥが、ＴＡＵプロシージャにおけるオリジナルＭＭＥがローカルで動作するタイマーが時間切れになっていないことを確定して送信した、一時的に保持されたダウンリンク・データを前記ＳＧＷから前記ＵＥに送信すべき旨の指示を受信すること、
または、
前記ＭＭＥが、前記ＴＡＵプロシージャにおけるオリジナルＭＭＥがＳＧＷに一時的に保持したデータの伝送必要さを確定して送信した、一時的に保持されたダウンリンク・データを前記ＳＧＷから前記ＵＥに送信すべき旨の指示を受信すること、
を含む。
【００２７】
ここで、一時的に保持されたダウンリンク・データを前記ＳＧＷから前記ＵＥに送信すべき旨の指示は、前記ＳＧＷのベアラ修正応答メッセージ（Ｍｏｄｉｆｙ Ｂｅａｒｅｒ Ｒｅｓｐｏｎｓｅ ｍｅｓｓａｇｅ）に積載される。
【００２８】
第２の態様として、ユーザー・プレーンベアラの確立を制御する方法は、
ＳＧＷが、端末（ＵＥ）のダウンリンク・データを一時的に保持していることを確定するステップと、
前記ＳＧＷが、モビリティ管理エンティティ（ＭＭＥ）に、一時的に保持されたダウンリンク・データを前記ＵＥに送信すべき旨の指示を、送信するステップと、を備える。
【００２９】
ここで、前記ＳＧＷが端末（ＵＥ）のダウンリンク・データを一時的に保持していることを確定することは、
前記ＳＧＷが、ローカルで動作するタイマーが時間切れになっていないことを確定し、前記タイマーの動作時間は、前記ＭＭＥが前記ＵＥの到達不能な状態になることを確定する場合に送信され、また、前記タイマーは、前記ＵＥのためにダウンリンク・データを一時的に保持する旨の指示を受信する場合に起動されること、
または、
前記ＳＧＷが、ローカルで一時的に保持している、前記ＵＥに送信すべきダウンリンク・データを確定すること、
を含む。
【００３０】
ここで、前記一時的に保持されたダウンリンク・データを前記ＵＥに送信すべき旨の指示は、前記ＭＭＥに送信したベアラ修正応答メッセージに積載されている。
【００３１】
第３の態様として、モビリティ管理エンティティ（ＭＭＥ）は、
位置登録エリア更新（ＴＡＵ）プロシージャにおいて、一時的に保持されたダウンリンク・データをＳＧＷから端末（ＵＥ）に送信すべきことを確定する確定モジュールと、
前記ＵＥの無線インターフェースユーザー・プレーンベアラの確立プロシージャを開始する開始モジュールと、を備える。
【００３２】
ここで、前記確定モジュールは、
一時的に保持されたダウンリンク・データを前記ＳＧＷから前記ＵＥに送信すべき旨の指示を取得し、前記指示により、一時的に保持されたダウンリンク・データを前記ＳＧＷから前記ＵＥに送信すべきことを確定すること、
または、
ローカルで動作するタイマーが時間切れになっていないことを確定し、前記タイマーは、前記ＭＭＥが前記ＵＥの到達不能な状態になることを確定して、前記ＵＥのダウンリンク・データを一時的に保持するように前記ＳＧＷに指示する場合、起動され、前記タイマーのセット時間は、前記ＭＭＥが前記ＳＧＷに指示した、前記ＵＥのダウンリンク・データを一時的に保持する時間の長さであること、
または、
再設定した新しいＭＭＥのコンテキストリクエストメッセージの受信時間が記録したタイムスタンプより早いことを確定し、前記タイムスタンプは、前記ＭＭＥが前記ＵＥの到達不能な状態になることを確定して前記ＳＧＷに指示した前記ＵＥのダウンリンク・データを一時的に保持する時間の長さに基づいて確定されるか、または前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和であること、
または、
前記ＳＧＷのベアラ関連のメッセージの受信時間が記録したタイムスタンプより早いことを確定し、前記タイムスタンプは、前記ＭＭＥが前記ＵＥの到達不能な状態になることを確定して前記ＳＧＷに指示した前記ＵＥのダウンリンク・データを一時的に保持する時間の長さに基づいて確定されるか、または前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和であること、
を含む。
【００３３】
ここで、送信モジュールをさらに備え、
前記送信モジュールは、
前記ＴＡＵプロシージャにおいて、ＭＭＥが変更され、且つ、ローカルで動作するタイマーが時間切れになっていないことを確定した場合、変更された新しいＭＭＥに、一時的に保持されたダウンリンク・データを送信すべき旨の指示を前記ＳＧＷから前記ＵＥに送信し、前記新しいＭＭＥにより前記ＵＥの無線インターフェースユーザー・プレーンベアラの確立プロシージャを開始し、
または、
前記ＴＡＵプロシージャにおいて、ＭＭＥが変更され、且つ格納したタイムスタンプの期限切れになっていないことを確定した場合、一時的に保持されたダウンリンク・データを前記ＳＧＷから前記ＵＥに送信すべき旨の指示を、変更された新しいＭＭＥに送信し、前記新しいＭＭＥにより前記ＵＥの無線インターフェースユーザー・プレーンベアラの確立プロシージャを開始する。
【００３４】
ここで、受信モジュールをさらに備え、
前記受信モジュールは、
前記ＭＭＥが前記ＴＡＵプロシージャにおける新しいＭＭＥである場合、前記ＴＡＵプロシージャにおけるオリジナルＭＭＥがローカルで動作するタイマーが時間切れになっていないことを確定して送信した、一時的に保持されたダウンリンク・データを前記ＳＧＷから前記ＵＥに送信すべき旨の指示を受信し、
または、
前記ＭＭＥが前記ＴＡＵプロシージャにおける新しいＭＭＥである場合、前記ＴＡＵプロシージャにおけるオリジナルＭＭＥが一時的に保持データをＳＧＷから送信すべきことを確定して送信した、一時的に保持されたダウンリンク・データを前記ＳＧＷから前記ＵＥに送信すべき旨の指示を受信する。
【００３５】
ここで、一時的に保持されたダウンリンク・データを前記ＳＧＷから前記ＵＥに送信すべき旨の指示は、前記ＳＧＷのベアラ修正応答メッセージに積載される。
【００３６】
第４の態様として、本発明により提供されたＳＧＷは、
端末（ＵＥ）のダウンリンク・データが一時的に保持されていることを確定する確定モジュールと、
一時的に保持されたダウンリンク・データを前記ＵＥに送信すべき旨の指示をモビリティ管理エンティティ（ＭＭＥ）に送信する送信モジュールと、を備える。
【００３７】
ここで、前記確定モジュールは、
ローカルで動作するタイマーが時間切れになっていないことを確定し、前記タイマーの動作時間は、前記ＭＭＥが前記ＵＥの到達不能な状態になると確定する場合に送信され、また、前記タイマーは、前記ＵＥのためにダウンリンク・データを一時的に保持する旨の指示を受信する場合に起動されること、
または、
ローカルバッファにおいて前記ＵＥに送信すべきダウンリンク・データを確定すること、
を含む。
【００３８】
ここで、前記一時的に保持されたダウンリンク・データを前記ＵＥに送信すべき旨の指示は、前記ＭＭＥに送信したベアラ修正応答メッセージに積載されている。
【発明の効果】
【００３９】
上述のように、本発明に係る実施例によれば、ＭＭＥは、ＴＡＵプロシージャ中に、ＳＧＷが端末に一時的に保持されたダウンリンク・データを送信すべきことを確定すれば、ＵＥの、無線インターフェースユーザー・プレーンベアラの確立プロシージャを開始し、これにより、ＳＧＷに一時的に保持されたＵＥのダウンリンク・データが紛失したのに、ＵＥがＴＡＵプロシージャを開始する場合、ＭＭＥがＳＧＷに一時的に保持されたＵＥのダウンリンク・データを伝送するために、依然としてＵＥと基地局の間のユーザー・プレーンの確立プロシージャを開始することを防ぐことができ、不必要なシグナリングオーバーヘッドを防止することができるようになる。
【図面の簡単な説明】
【００４０】
【図１】図１は、ＴＲ２３.７０９における案２のフローチャートである。
【図２】図２は、ＵＥにより開始されたＴＡＵプロシージャを示す図である。
【図３】図３は、本発明に係る実施例におけるＭＭＥがユーザー・プレーンベアラの確立を制御する方法のフローチャートである。
【図４】図４は、本発明に係る実施例におけるＳＧＷがユーザー・プレーンベアラの確立を制御する方法のフローチャートである。
【図５】図５は、本発明に係る実施例におけるＵＥにより開始されたＴＡＵプロシージャを示す図である。
【図６】図６は、本発明に係る実施例におけるＭＭＥの構造図である。
【図７】図７は、本発明に係る実施例における他のＭＭＥの構造図である。
【図８】図８は、本発明に係る実施例におけるＳＧＷの構造図である。
【図９】図９は、本発明に係る実施例における他のＳＧＷの構造図である。
【発明を実施するための形態】
【００４１】
本発明の目的、技術的解決手段及びメリットをより明確にするために、以下、本発明について、図面を参照しながら詳細に説明する。無論、以下の説明における図面は本発明に係る実施例の一部であるに過ぎず、全部の実施例ではないことは自明である。当業者が創造力を発揮することなく得ることができる全ての他の実施例は、本発明の保護範囲内に属するものである。
【００４２】
図３に示すように、本発明に係る実施例において、ＴＡＵプロシージャ中、ＭＭＥがユーザー・プレーンベアラの確立を制御する詳しい方法の流れは、以下のとおりである。
【００４３】
ステップ３０１：ＭＭＥは、ＴＡＵプロシージャ中に、ＳＧＷが一時的に保持されたダウンリンク・データをＵＥに送信すべきことを確定する。
【００４４】
ステップ３０２：ＭＭＥは、ＵＥの、無線インターフェースユーザー・プレーンベアラの確立プロシージャを開始し、このようにして、確立された無線インターフェースユーザー・プレーンベアラにより、ＳＧＷに一時的に保持されたＵＥのダウンリンク・データを送信できるようにする。
【００４５】
実施中、ＭＭＥは、ＴＡＵプロシージャ中に、ＳＧＷがＵＥにダウンリンク・データを送信すべきか否かを判断し、送信すべきであると判断すれば、ＭＭＥは、ＵＥの、無線インターフェースユーザー・プレーンベアラの確立プロシージャを開始し、このようにして、当該無線インターフェースユーザー・プレーンベアラにより、ＵＥにダウンリンク・データを送信する一方、送信する必要がないと判断し、且つ、ＴＡＵプロシージャ中にＵＥがアップリンクデータを送信する必要がなければ、ＭＭＥは、ＵＥの、無線インターフェースユーザー・プレーンベアラの確立プロシージャを開始しない。
【００４６】
ここで、ＭＭＥが、ＴＡＵプロシージャ中に、ＳＧＷが一時的に保持されたダウンリンク・データをＵＥに送信すべきことを確定することは、以下のいくつかの実施態様を有する。
【００４７】
〈第１実施態様〉
【００４８】
ＭＭＥは、ＳＧＷからＵＥに一時的に保持されたダウンリンク・データを送信すべき旨の指示を取得し、指示に基づき、ＳＧＷからＵＥに一時的に保持されたダウンリンク・データを送信すべきことを確定する。
【００４９】
具体的に、ＵＥに一時的に保持されたダウンリンク・データを送信すべき旨の指示は、ＳＧＷのベアラ修正応答（Ｍｏｄｉｆｙ Ｂｅａｒｅｒ Ｒｅｓｐｏｎｓｅ）メッセージに積載される。
【００５０】
実施中、ＭＭＥは、ＳＧＷがＭＭＥのベアラ修正リクエストに基づいてフィードバックしたベアラ修正応答メッセージを受信し、当該ベアラ修正応答メッセージにＵＥに一時的に保持されたダウンリンク・データを送信すべき旨の指示が積載されることを確定できれば、ＭＭＥは、ＵＥの、無線インターフェースユーザー・プレーンベアラの確立を開始し、当該ベアラ修正応答メッセージにＵＥに一時的に保持されたダウンリンク・データを送信すべき旨の指示が積載されていないことを確定すれば、ＵＥの、無線インターフェースユーザー・プレーンベアラの確立を開始しない。
【００５１】
第１実施態様は、ＴＡＵプロシージャ中に、ＭＭＥ変更及びＳＧＷ変更（再配置とも称される）が発生されていない場合に、特に適用される。
【００５２】
〈第２実施態様〉
【００５３】
ＭＭＥがローカルで動作するタイマーＭが時間切れになっていないことを確定する場合、当該タイマーＭは、ＭＭＥがＵＥの到達不能な状態であることを確定してＵＥのダウンリンク・データを一時的に保持するようにＳＧＷに指示する場合、起動される。当該タイマーのセット時間は、ＭＭＥにより指示されたＳＧＷにＵＥのダウンリンク・データが一時的に保持される時間の長さＴより短くなく、即ち、Ｔに等しいかやや大きい。
【００５４】
具体的に、ＭＭＥはＳＧＷのＤＤＮメッセージに基づき、ＵＥが到達不能な状態であることを検出し、ＳＧＷにＤＤＮ応答メッセージをフィードバックする。当該ＤＤＮ応答メッセージには、ＵＥのダウンリンク・データを一時的に保持するリクエスト、及び指示したＳＧＷに当該ＵＥのダウンリンク・データを一時的に保持する時間の長さＴが積載される。また、ＭＭＥは、ローカルで運行セット時間がＴであるタイマーＭを起動させる。強調されたいのは、ＭＭＥにおいて運行するタイマーのセット時間は、ＳＧＷがＭＭＥからフィードバックされたＤＤＮ応答に基づいて起動させて運行されるタイマーのセット時間Ｔと同様であるか、またはＴよりやや大きい。
【００５５】
さらに説明すれば、上述のプロシージャにおいて、ＭＭＥは、ローカルでセット時間がＴであるタイマーＭを起動することにより、ＴＡＵプロシージャ中に、ＳＧＷからＵＥに一時的に保持されたダウンリンク・データを送信すべきか否かを判断する以外、タイムスタンプを記録することによっても実施できる。即ち、ＭＭＥがＵＥの到達不能な状態であることを確定した場合、ＳＧＷに一時的に保持ＵＥのダウンリンク・データ及び一時的に保持された時間の長さＴを指示した場合、ＭＭＥはＴに基づいて１つのタイムスタンプＴsを確定する。具体的に、ＭＭＥは、現在時刻に時間の長さＴを加えることにより、タイムスタンプＴsを取得する。Ｔsに到達する前、ＭＭＥは、ＳＧＷに一時的に保持されたＵＥのダウンリンク・データ、及び当該データをＵＥに送信すべきことを確定することができる。Ｔsに到達した後、即ち、Ｔsが時間切れになった後、ＭＭＥは、一時的に保持されたデータを送信する必要がないことを確定することができる。本発明に係る実施例により採用されたタイマーの方式及びタイムスタンプの方式は、互いに利用されることが可能である。
【００５６】
実施中、ＭＭＥは、ＴＡＵプロシージャ中に、ローカルで動作するタイマーＭが時間切れになっていないことを確定すれば、ＳＧＷに依然としてＵＥのダウンリンク・データを一時的に保持されることを知って、ＳＧＷからＵＥに一時的に保持されたダウンリンク・データを送信すべきことを確定する。ローカルで動作するタイマーＭが時間切れになったことを確定すれば、ＳＧＷに一時的に保持されたＵＥのダウンリンク・データがＳＧＷにより削除または廃棄されたことを知って、ＳＧＷからＵＥに一時的に保持されたダウンリンク・データを送信する必要がないことを確定することができる。このようにして、ＭＭＥは、ＵＥの、ユーザー・プレーンベアラの確立プロシージャを開始する必要がある。
【００５７】
当該実施態様において、ＴＡＵプロシージャ中にＭＭＥが変更される場合、ＴＡＵプロシージャ中に変更前のオリジナルＭＭＥとして、ローカルで動作するタイマーＭが時間切れになっていないことが確定できれば、ＳＧＷに一時的に保持されたダウンリンク・データを前記ＵＥに送信すべき旨の指示を、変更された新しいＭＭＥに送信する。
【００５８】
ＴＡＵプロシージャ中の新しいＭＭＥとしては、ＳＧＷからＵＥに一時的に保持されたダウンリンク・データを送信すべき旨の指示を取得することは、具体的に、ＴＡＵプロシージャにおけるオリジナルＭＭＥから送信された、ＳＧＷからＵＥに一時的に保持されたダウンリンク・データを送信すべき旨の指示を受信する。
【００５９】
実施中、ＴＡＵプロシージャ中にＭＭＥが変更された場合、変更された新しいＭＭＥは、変更前のオリジナルＭＭＥにコンテキストリクエスト（Ｃｏｎｔｅｘｔ Ｒｅｑｕｅｓｔ）メッセージを送信する。
【００６０】
当該オリジナルＭＭＥは、ローカルで動作するタイマーＭが時間切れになっていないことを確定できれば、変更された新しいＭＭＥへフィードバックするコンテキスト応答（Ｃｏｎｔｅｘｔ Ｒｅｓｐｏｎｓｅ）メッセージに、ＳＧＷからＵＥに一時的に保持されたダウンリンク・データを送信すべき旨の指示を積載する。
【００６１】
新しいＭＭＥは、オリジナルＭＭＥからフィードバックされたコンテキスト応答メッセージを受信する。当該コンテキスト応答メッセージにＳＧＷからＵＥに一時的に保持されたダウンリンク・データを送信すべき旨の指示が積載されていることを確定できれば、ＵＥの、無線インターフェースユーザー・プレーンベアラの確立プロシージャを開始する。積載されていることを確定できなければ、ＵＥの、無線インターフェースユーザー・プレーンベアラの確立プロシージャを開始しないが、だたし、ＵＥがＴＡＵ リクエストメッセージにおいて送信すべきアップリンクデータを指示した場合は除く（即ちアクティブフラグ（ＡＣＴＩＶＥ ＦＬＡＧ）が設定されている）。
【００６２】
当該第２実施態様は、ＴＡＵプロシージャ中にＳＧＷが変更されていない場合に特に適用される。
【００６３】
〈第３実施態様〉
【００６４】
ＭＭＥが変更される場合、オリジナルＭＭＥは、再設定した新しいＭＭＥのコンテキストリクエストメッセージの受信時間が記録したタイムスタンプより早いことを確定する。当該タイムスタンプは、オリジナルＭＭＥが、前記ＵＥの到達不能な状態であることを確定した場合指示したＳＧＷにＵＥのダウンリンク・データを一時的に保持する時間の長さに基づいて確定されたものである。または、当該タイムスタンプは、当該オリジナルＭＭＥがＵＥの到達不能な状態であることを確定した場合に指示したＳＧＷにＵＥのダウンリンク・データを一時的に保持する時間と、オリジナルＭＭＥにより指示されたＳＧＷにＵＥのダウンリンク・データが一時的に保持される時間の長さの和である。
【００６５】
〈第４実施態様〉
【００６６】
ＭＭＥは、ＳＧＷのベアラ関連のメッセージの受信した時間が記録したタイムスタンプより早いことを確定する。当該タイムスタンプは、オリジナルＭＭＥが前記ＵＥの到達不能な状態であることを確定した場合に指示したＳＧＷにＵＥのダウンリンク・データを一時的に保持する時間の長さに基づいて確定したものである。または、当該タイムスタンプは、当該ＭＭＥがＵＥの到達不能な状態であることを確定した場合に指示したＳＧＷにＵＥのダウンリンク・データを一時的に保持する時間と、当該ＭＭＥにより指示されたＳＧＷにＵＥのダウンリンク・データが一時的に保持される時間の長さの和である。
【００６７】
同様な発明思想に基づき、図４に示すように、ＳＧＷユーザー・プレーンベアラの確立を制御する方法は、以下に、詳しく説明するとおりである。
【００６８】
ステップ４０１：ＳＧＷは、一時的に保持するＵＥのダウンリンク・データを確定する。
【００６９】
具体的に、ＳＧＷが、一時的に保持するＵＥのダウンリンク・データを確定することは、以下の実施態様を有するが、これらに限られるものではない。
【００７０】
〈第１実施態様〉
ＳＧＷは、ローカルで動作するタイマーＳが時間切れになっていないことを確定する。当該タイマーの動作時間は、ＭＭＥがＵＥの到達不能な状態であることを確定した場合に送信される。また、当該タイマーは、ＳＧＷがＵＥのためにダウンリンク・データを一時的に保持するとの指示を受信する場合に起動される。ＳＧＷがタイマーＳが時間切れになったことを確定すれば、一時的に保持中のデータが既に削除されたかまたは一時的に保持中のデータがもう送信する必要がなくなったことを示す。
【００７１】
具体的に、ＳＧＷは、ＭＭＥにＤＤＮメッセージを送信した後、ＭＭＥからフィードバックされたＤＤＮ応答メッセージを受信する。当該ＤＤＮ応答メッセージには、ＵＥのダウンリンク・データを一時的に保持するリクエスト、及び指示したＳＧＷに当該ＵＥのダウンリンク・データを一時的に保持する時間の長さＴが積載される。ＳＧＷは、当該ＵＥのダウンリンク・データを一時的に保持するリクエストに基づき、ＵＥのダウンリンク・データを一時的に保持し、当該時間の長さＴをセット時間として、タイマーＳを起動する。
【００７２】
〈第２実施態様〉
ＳＧＷは、ローカルバッファに、ＵＥに送信すべきダウンリンク・データを有することを確定する。
【００７３】
ＳＧＷは、バッファに一時的に保持されたデータがあるか否かを直接に確認する。
【００７４】
ここでは例にすぎないが、ＳＧＷにＵＥのダウンリンク・データが一時的に保持されているか否かを確定する他の方法も本発明に適用できる。
【００７５】
ステップ４０２：ＳＧＷは、ＵＥに一時的に保持されたダウンリンク・データを送信すべき旨の指示を、ＭＭＥに送信する。
【００７６】
具体的に、ＵＥに一時的に保持されたダウンリンク・データを送信すべき旨の指示は、ＳＧＷからＭＭＥに送信したベアラ修正応答メッセージに積載されている。
【００７７】
１つの具体的な実施例において、ＵＥからＭＭＥまたはＳＧＳＮに対して開始したＴＡＵプロシージャは、具体的に図５に示すように、当該ＴＡＵプロシージャ中に、ＳＧＷの再配置が起きていない
【００７８】
ステップ５０１：ＵＥは、ｓｅｒｖｉｎｇ  ｅＮＢ/ＲＮＣ/ＢＳＣを介してＴＡＵプロシージャをトリガーする。以下のステップにおいて、ＵＥのｓｅｒｖｉｎｇ ｅＮＢの例を挙げて説明するが、以下のステップにおけるｅＮＢは、ＲＮＣまたはＢＳＣに代わってもよい。
【００７９】
ステップ５０２：ＵＥは、ｅＮＢにＴＡＵリクエストを送信する。
【００８０】
ステップ５０３：ｅＮＢは、ＵＥのＴＡＵリクエストを新しいＭＭＥに送信する。当該実施例において、ｅＮＢがＴＡＵルーティングリクエストメッセージのために選出したＭＭＥは、ＵＥが前に登録したＭＭＥと異なり、当該ＭＭＥは、新しいＭＭＥと称される。
【００８１】
ステップ５０４：新しいＭＭＥは、ＵＥの前に登録したオリジナルＭＭＥまたはオリジナルＳＧＳＮにコンテキストリクエスト（Ｃｏｎｔｅｘｔ Ｒｅｑｕｅｓｔ）を送信する。ここで、オリジナルＳＧＳＮは、Ｓ４インターフェイスを利用するＳＧＳＮであるか、または、ｇｎ／ｇｐインターフェイスを利用するＳＧＳＮである。
【００８２】
ステップ５０５：オリジナルＭＭＥまたはオリジナルＳＧＳＮは、新しいＭＭＥに、コンテキスト応答（Ｃｏｎｔｅｘｔ Ｒｅｓｐｏｎｓｅ）をフィードバックする。
【００８３】
ステップ５０６：ＨＳＳ（Ｈｏｍｅ Ｓｕｂｓｃｒｉｂｅｒ Ｓｅｒｖｅｒ）は、ＵＥに対する身分（Ａｕｔｈｅｎｔｉｃａｔｉｏｎ）認証及び安全（Ｓｅｃｕｒｉｔｙ）認証のうちの少なくとも１つを行う。
【００８４】
ステップ５０７：新しいＭＭＥは、オリジナルＭＭＥにコンテキスト通知（Ｃｏｎｔｅｘｔ Ａｃｋｎｏｗｌｅｄｇｅ）を送信する。
【００８５】
ステップ５０９：新しいＭＭＥは、ＳＧＷにベアラ修正リクエスト（Ｍｏｄｉｆｙ Ｂｅａｒｅｒ Ｒｅｑｕｅｓｔ）を送信する。
【００８６】
ステップ５１０：ＳＧＷは、ＰＧＷにベアラ修正リクエストを送信する。
【００８７】
ステップ５１１：ＰＣＲＦ（Ｐｏｌｉｃｙ ａｎｄ Ｃｈａｒｇｉｎｇ Ｅｎｆｏｒｃｅｍｅｎｔ Ｆｕｎｃｔｉｏｎ）により、ＩＰ−ＣＡＮ（ＩＰ Ｃｏｎｎｅｃｔｉｖｉｔｙ Ａｃｃｅｓｓ Ｎｅｔｗｏｒｋ，ＩＰ−ＣＡＮ（ＩＰ，Ｉｎｔｅｒｎｅｔ Ｐｒｏｔｏｃｏｌ））セッション修正プロシージャが開始される。
【００８８】
ステップ５１２：ＳＧＷは、ＰＧＷからフィードバックされたベアラ修正応答（Ｍｏｄｉｆｙ Ｂｅａｒｅｒ Ｒｅｓｐｏｎｓｅ）メッセージを受信する。
【００８９】
ステップ５１３：ＳＧＷは、新しいＭＭＥにベアラ修正応答メッセージをフィードバックする。
【００９０】
ステップ５１４：新しいＭＭＥは、ＨＳＳに、位置更新リクエスト（Ｕｐｄａｔｅ Ｌｏｃａｔｉｏｎ Ｒｅｑｕｅｓｔ）メッセージを送信する。
【００９１】
ステップ５１５：オリジナルＭＭＥまたはオリジナルＳＧＳＮは、ＨＳＳから位置を取り消す指示メッセージを受信する。
【００９２】
ステップ５１６：オリジナルＭＭＥまたはオリジナルＳＧＳＮは、ＨＳＳに位置を取り消す応答メッセージをフィードバックする。
【００９３】
ＵＥのｓｅｒｖｉｎｇ ＲＮＣまたはＢＳＣの場合、ステップ５１７及びステップ５１８を続けて実行するが、ＵＥのｓｅｒｖｉｎｇ ＲＮＣまたはＢＳＣではない場合、ステップ５１７及びステップ５１８を飛ばす。
【００９４】
ステップ５１７：ＵＥのｓｅｒｖｉｎｇ ＲＮＣまたはＢＳＣは、ソースＭＭＥのインターフェイスｌｕの解除命令を受信する。
【００９５】
ステップ５１８：ＵＥのｓｅｒｖｉｎｇ ＲＮＣまたはＢＳＣは、オリジナルＭＭＥまたはオリジナルＳＧＳＮにインターフェイスｌｕの解除終了メッセージをフィードバックする。
【００９６】
ステップ５１９：ＨＳＳは、新しいＭＭＥに位置更新応答（Ｕｐｄａｔｅ Ｌｏｃａｔｉｏｎ ＡＣＫ）を送信する。
【００９７】
ステップ５２０：新しいＭＭＥは、ＵＥに位置登録応答メッセージを送信する。
【００９８】
ステップ５２１：選択可能ではあるが、ＵＥは、ＴＡＵ更新プロシージャの終了後、新しいＭＭＥに、ＴＡＵ終了（ＴＡＵ Ｃｏｍｐｌｅｔｅ）メッセージをフィードバックする。
【００９９】
第１種の実施の場合、ステップ５１３において、ＳＧＷは、ローカルでＵＥのダウンリンク・データを一時的に保持していることを確定できれば、ベアラ修正応答メッセージに、一時的に保持されたダウンリンク・データをＳＧＷからＵＥに送信すべきことを示す指示情報が積載される。当該指示情報は、「一時的に保持されたダウンリンク・データがあり」または「ユーザー・プレーンの確立を要する」等と記されることができる。新しいＭＭＥは、ＳＧＷのベアラ修正応答メッセージを受信した後、当該ベアラ修正応答メッセージには当該指示情報が積載されていることを確定できれば、ＵＥの、無線インターフェースユーザー・プレーンの確立プロシージャをトリガーする。例えば、当該無線インターフェースユーザー・プレーンの確立プロシージャを開始し、また、ＴＡＵ Acceptメッセージを送信する。
【０１００】
第２種の実施の場合、ＵＥがＴＡＵプロシージャを開始する前、オリジナルＭＭＥは、ＳＧＷにおけるＵＥのダウンリンク・データの一時的に保持する時間の長さＴを確定して、ＤＤＮ ＡＣＫメッセージにより、ＳＧＷに指示した後、ローカルで１つのタイマーＭを起動する。当該タイマーのセット時間もＴである。
【０１０１】
ＵＥにより開始されたＴＡＵプロシージャにおいて、当該ＴＡＵプロシージャ中にＭＭＥが変更され、ステップ５０５において、オリジナルＭＭＥは、ローカルで動作するタイマーＭが時間切れになっているか否かをまず判断し、時間切れになっている場合、新しいＭＭＥに送信するコンテキスト応答には、ＳＧＷからＵＥに一時的に保持されたダウンリンク・データを送信すべきことを示す指示情報が積載されていない。時間切れになっていない場合、ＭＭＥに送信するコンテキスト応答には、ＳＧＷからＵＥに一時的に保持されたダウンリンク・データを送信すべきことを示す指示情報が積載される。
【０１０２】
第３種の実施の場合、ＭＭＥは、１つのタイムスタンプｔｓを記録する。タイムスタンプｔｓの値は、ＳＧＷに送信したＤＤＮ ＡＣＫメッセージの時間に時間の長さＴを加えたものであり、即ち、ＭＭＥは、ＳＧＷに送信した当該ＳＧＷにおけるデータの一時的に保持した時間の長さＴに基づいて、当該タイムスタンプｔｓを確定する。ＭＭＥが変更されたＴＡＵプロシージャにおいて、新しいＭＭＥからのコンテキストリクエストメッセージを受信する時間がｔｓより早ければ、即ち、ｔｓが時間切れになっていなければ、ＳＧＷが一時的に保持したデータを送信すべきであると確定する。新しいＭＭＥからのコンテキストリクエストメッセージの受信時間がｔｓより遅ければ、即ちｔｓが既に時間切れになっている場合、ＳＧＷが一時的に保持したデータを送信する必要がないことを確定する。ＭＭＥの変更がないＴＡＵプロシージャにおいて、ＳＧＷからベアラ関連のメッセージを受信する時間がｔｓより早ければ、ＳＧＷが一時的に保持したデータを送信すべきであると判断する。ＳＧＷからのベアラ関連のメッセージの受信時間がｔｓより遅ければ、ＳＧＷが一時的に保持したデータを送信する必要がないと判断する。
【０１０３】
ＴＡＵプロシージャ中にＳＧＷが変更されていない場合、ステップ５０５の後、新しいＭＭＥは、ＵＥの、無線インターフェースユーザー・プレーンの確立プロシージャをトリガーする。
【０１０４】
ＴＡＵプロシージャ中にＳＧＷが変更されれば（即ちＳＧＷの再配置，ｒｅｌｏｃａｔｉｏｎ）、図２に示すように、ＴＡＵプロシージャ中の新しいＳＧＷから新しいＭＭＥに送信したセッション確立の応答メッセージには、ダウンリンク・データ・フォワーディングのために割り当てたＩＰアドレス及びＧＴＰ−Ｕの（ＴＥＩＤ）が積載される。新しいＭＭＥは、ＵＥの、無線インターフェースユーザー・プレーンの確立プロシージャをトリガーする。
【０１０５】
同様な発明思想に基づき、本発明に係る実施例はＭＭＥを提供する。当該ＭＭＥの具体的な実施について、上述の方法実施例においてＭＭＥに関する説明を参照することができるため、繰り返す内容の説明は省略する。図６に示すように、当該ＭＭＥは、確定モジュール６０１と、開始モジュール６０２とを備える。
【０１０６】
上記確定モジュール６０１は、位置登録エリア更新（ＴＡＵ）プロシージャにおいて、一時的に保持されたダウンリンク・データをＳＧＷから端末（ＵＥ）に送信すべきことを確定する。
【０１０７】
上記開始モジュール６０２は、前記ＵＥの無線インターフェースユーザー・プレーンベアラの確立プロシージャを開始する。
【０１０８】
ここで、前記確定モジュール６０１は、一時的に保持されたダウンリンク・データを前記ＳＧＷから前記ＵＥに送信すべき旨の指示を取得し、前記指示により、一時的に保持されたダウンリンク・データを前記ＳＧＷから前記ＵＥに送信すべきことを確定する。
【０１０９】
または、前記確定モジュール６０１は、ローカルで動作するタイマーが時間切れになっていないことを確定する。前記タイマーは、前記ＭＭＥが前記ＵＥの到達不能な状態になることを確定して、前記ＵＥのダウンリンク・データを一時的に保持するように前記ＳＧＷに指示する場合、起動される。前記タイマーのセット時間は、前記ＭＭＥが前記ＳＧＷに指示した、前記ＵＥのダウンリンク・データを一時的に保持する時間の長さである。
【０１１０】
または、前記確定モジュール６０１は、再設定した新しいＭＭＥのコンテキストリクエストメッセージの受信時間が記録したタイムスタンプより早いことを確定する。前記タイムスタンプは、前記ＭＭＥが前記ＵＥの到達不能な状態になることを確定して前記ＳＧＷに指示した前記ＵＥのダウンリンク・データを一時的に保持する時間の長さに基づいて確定される。または、前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和である。
【０１１１】
または、前記確定モジュール６０１は、前記ＳＧＷのベアラ関連のメッセージの受信時間が記録したタイムスタンプより早いことを確定する。前記タイムスタンプは、前記ＭＭＥが前記ＵＥの到達不能な状態になることを確定して前記ＳＧＷに指示した前記ＵＥのダウンリンク・データを一時的に保持する時間の長さに基づいて確定されるか、または、前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和である。
【０１１２】
１つの具体的な実施において、送信モジュール６０３がさらに備えられる。
【０１１３】
当該送信モジュール６０３は、前記ＴＡＵプロシージャ中にＭＭＥを変更する必要があり、かつ、ローカルで動作するタイマーが時間切れになっていないことを確定できれば、前記ＴＡＵ中に変更された新しいＭＭＥに、一時的に保持されたダウンリンク・データを前記ＳＧＷから前記ＵＥに送信すべき旨の指示を送信する。前記新しいＭＭＥにより前記ＵＥの無線インターフェースユーザー・プレーンベアラの確立プロシージャを開始する。
【０１１４】
他の１つの具体的な実施において、受信モジュール６０４がさらに備えられる。
【０１１５】
上記受信モジュール６０４は、前記ＭＭＥが前記ＴＡＵプロシージャにおける新しいＭＭＥである場合、ＴＡＵのオリジナルＭＭＥが、ローカルで動作するタイマーが時間切れになっていないことを確定する際に送信した、一時的に保持されたダウンリンク・データを前記ＳＧＷから前記ＵＥに送信すべき旨の指示を受信する。
【０１１６】
ここで、一時的に保持されたダウンリンク・データを前記ＳＧＷから前記ＵＥに送信すべき旨の指示は、前記ＳＧＷのベアラ修正応答メッセージに積載される。
【０１１７】
同様な発明思想に基づき、本発明に係る実施例は、ＭＭＥをさらに提供する。当該ＭＭＥの具体的な実施は上述した方法実施例におけるＭＭＥに関するを説明を参照することができ、繰り返す内容の説明は省略する。図７に示すように、当該ＭＭＥは、主にプロセッサ７０１と、メモリ７０２とを備える。ここで、メモリ７０２には、予め設定したプログラムが格納されている。プロセッサ７０１は、メモリ７０２に予め設定したプログラムを読み出し、当該プログラムは、以下のプロシージャを実行する。
【０１１８】
位置登録エリア更新（ＴＡＵ）プロシージャにおいて、一時的に保持されたダウンリンク・データをＳＧＷから端末（ＵＥ）に送信すべきことを確定する。
【０１１９】
前記ＵＥの無線インターフェースユーザー・プレーンベアラの確立プロシージャを開始する。
【０１２０】
具体的に、プロセッサ７０１は、前記ＳＧＷが前記ＵＥに一時的に保持されたダウンリンク・データを送信すべきことを確定することは、詳しくは、以下に説明するとおりである。
【０１２１】
プロセッサ７０１は、一時的に保持されたダウンリンク・データを前記ＳＧＷから前記ＵＥに送信すべき旨の指示を取得し、前記指示により、一時的に保持されたダウンリンク・データを前記ＳＧＷから前記ＵＥに送信すべきことを確定する。
【０１２２】
または、プロセッサ７０１は、ローカルで動作するタイマーが時間切れになっていないことを確定する。前記タイマーは、前記ＭＭＥが前記ＵＥの到達不能な状態になることを確定して、前記ＵＥのダウンリンク・データを一時的に保持するように前記ＳＧＷに指示する場合、起動される。前記タイマーのセット時間は、前記ＭＭＥが前記ＳＧＷに指示した、前記ＵＥのダウンリンク・データを一時的に保持する時間の長さである。
【０１２３】
または、プロセッサ７０１は、再設定した新しいＭＭＥのコンテキストリクエストメッセージの受信時間が記録したタイムスタンプより早いことを確定する。前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和である。
【０１２４】
または、プロセッサ７０１は、前記ＳＧＷのベアラ関連のメッセージの受信時間が記録したタイムスタンプより早いことを確定する。前記タイムスタンプは、前記ＭＭＥが前記ＵＥの到達不能な状態になることを確定して指示した前記ＵＥのダウンリンク・データを前記ＳＧＷに一時的に保持する時間と、前記ＭＭＥが前記ＳＧＷに指示した前記ＵＥのダウンリンク・データを一時的に保持する時間の長さの和である。
【０１２５】
１つの具体的な実施において、送信機７０３がさらに備えられる。
【０１２６】
前記ＴＡＵプロシージャ中にＭＭＥが変更する必要があれば、プロセッサ７０１は、ローカルで動作するタイマーが時間切れになっていないことを確定し、送信機７０３を介して、前記ＴＡＵ中に変更された新しいＭＭＥに、一時的に保持されたダウンリンク・データを前記ＳＧＷから前記ＵＥに送信すべき旨の指示を送信し、前記新しいＭＭＥにより前記ＵＥの無線インターフェースユーザー・プレーンベアラの確立プロシージャを開始する。
【０１２７】
１つの具体的な実施において、受信機７０４がさらに備えられる。
【０１２８】
前記ＭＭＥが前記ＴＡＵプロシージャにおける新しいＭＭＥである場合、プロセッサ７０１は、受信機７０４を介して、ＴＡＵのオリジナルＭＭＥが、ローカルで動作するタイマーが時間切れなっていないことを確定する場合に送信した、一時的に保持されたダウンリンク・データを前記ＳＧＷから前記ＵＥに送信すべき旨の指示を受信する。
【０１２９】
ここで、一時的に保持されたダウンリンク・データを前記ＳＧＷから前記ＵＥに送信すべき旨の指示は、前記ＳＧＷのベアラ修正応答メッセージに積載される。
【０１３０】
同様な発明思想に基づき、本発明に係る実施例は、ＳＧＷをさらに提供する。当該ＳＧＷの具体的な実施は、上述の方法実施例におけるＳＧＷに関する説明を参照することができるため、繰り返す内容の説明は省略する。図８に示すように、当該ＳＧＷは、主に、確定モジュール８０１と、送信モジュール８０２とを備える。
【０１３１】
上記確定モジュール８０１は、端末（ＵＥ）のダウンリンク・データが一時的に保持されていることを確定する、
【０１３２】
送信モジュール８０２は、一時的に保持されたダウンリンク・データを前記ＵＥに送信すべき旨の指示を、モビリティ管理エンティティ（ＭＭＥ）に送信する。
【０１３３】
ここで、前記確定モジュール８０１は、ローカルで動作するタイマーが時間切れになっていないことを確定する。前記タイマーの動作時間は、前記ＭＭＥが前記ＵＥの到達不能な状態になると確定する場合に送信され、また、前記タイマーは、前記ＵＥのためにダウンリンク・データを一時的に保持する旨の指示を受信する場合に起動される。
【０１３４】
または、前記確定モジュール８０１は、ローカルバッファにおける前記ＵＥに送信すべきダウンリンク・データを確定する。
【０１３５】
ここで、前記一時的に保持されたダウンリンク・データを前記ＵＥに送信すべき旨の指示は、前記ＭＭＥに送信したベアラ修正応答メッセージに積載されている。
【０１３６】
同様な発明思想に基づき、本発明に係る実施例はＳＧＷをさらに提供する。当該ＳＧＷの具体的な実施は、上述の方法実施例におけるＳＧＷに関する説明を参照することができるため、繰り返す内容の説明は省略する。図９に示すように、当該ＳＧＷは、主に、プロセッサ９０１と、メモリ９０２と、送信機９０３とを備える。ここで、送信機９０３は、プロセッサ９０１の制御により動作される。メモリ９０２には予め設定したプログラムが記憶されている。プロセッサ９０１は、メモリ９０２に予め設定したプログラムを読み出して、当該プログラムに従って下記のプロシージャを実行する。
【０１３７】
プロセッサ９０１は、端末（ＵＥ）のダウンリンク・データが一時的に保持されていることを確定する、
【０１３８】
プロセッサ９０１は、送信機９０３を介して、一時的に保持されたダウンリンク・データを前記ＵＥに送信すべき旨の指示を、モビリティ管理エンティティ（ＭＭＥ）に送信する。
【０１３９】
ここで、プロセッサ９０１が一時的に保持されたＵＥのダウンリンク・データを確定することは、以下に、詳しく説明するとおりである。
【０１４０】
プロセッサ９０１は、ローカルで動作するタイマーが時間切れになっていないことを確定する。前記タイマーの動作時間は、前記ＭＭＥが前記ＵＥの到達不能な状態になると確定する場合に送信され、また、前記タイマーは、前記ＵＥのためにダウンリンク・データを一時的に保持する旨の指示を受信する場合に起動される。
【０１４１】
または、プロセッサ９０１は、ローカルバッファにおける前記ＵＥに送信すべきダウンリンク・データを確定する。
【０１４２】
ここで、前記一時的に保持されたダウンリンク・データを前記ＵＥに送信すべき旨の指示は、前記ＭＭＥに送信したベアラ修正応答メッセージに積載されている。
【０１４３】
上述した技術的解決手段によれば、本発明に係る実施例において、ＭＭＥは、ＴＡＵプロシージャ中に、ＳＧＷが端末に一時的に保持されたダウンリンク・データを送信すべきことを確定すれば、ＵＥの、無線インターフェースユーザー・プレーンベアラの確立プロシージャを開始し、これにより、ＳＧＷに一時的に保持されたＵＥのダウンリンク・データが紛失したのに、ＵＥがＴＡＵプロシージャを開始する場合、ＭＭＥがＳＧＷに一時的に保持されたＵＥのダウンリンク・データを伝送するため、依然としてＵＥと基地局の間のユーザー・プレーンの確立プロシージャを開始することを防ぐことができ、不必要なシグナリングオーバーヘッドを防止することができるようになる。
【０１４４】
本分野の技術者は、本発明の実施形態が、方法、システム或いはコンピュータプログラム製品として提供できるため、本発明は、完全なハードウェア実施形態、完全なソフトウェア実施形態、またはソフトウェアとハードウェアの両方を結合した実施形態を採用できることを、理解できるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１４５】
以上では、本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１４６】
また、これらのコンピュータプログラム指令は、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１４７】
さらに、これらコンピュータプログラム指令はコンピュータ或いは他のプログラム可能なデータ処理装置設備に実装もできる。コンピュータプログラム指令が実装されたコンピュータ或いは他のプログラム可能なデータ処理装置設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１４８】
上述した実施形態に記述された技術的な解決手段を変更し、或いはその中の一部の技術要素を置換することもできる。そのような、変更や置換は本発明の各実施形態の技術の範囲から逸脱するとは見なされない。
無論、当業者によって、上述した実施形態に記述された技術的な解決手段を変更し、或いはその中の一部の技術要素を置換することもできる。そのような、変更と置換は、本発明の各実施形態の技術の範囲から逸脱するとは見なされない。そのような変更や置換は、すべて本発明の請求の範囲に属する。
【０１４９】
本出願は、２０１５年３月３１日に中国特許局に提出し、出願番号が２０１５１０１４９２８９.８であり、発明名称が「ユーザー・プレーンベアラの確立を制御する方法及び装置」との中国特許出願を基礎とする優先権を主張し、その開示の総てをここに取り込む。
【図１】
0006568231.tif 000002
【図２】
0006568231.tif 000003
【図３】
0006568231.tif 000004
【図４】
0006568231.tif 000005
【図５】
0006568231.tif 000006
【図６】
0006568231.tif 000007
【図７】
0006568231.tif 000008
【図８】
0006568231.tif 000009
【図９】
0006568231.tif 000010